(57)【要約】【課題】システム加入者のメールアドレスが他の加入者に知られてしまうことなく、しかも一斉送信を受けた加入者が、最初のメールを送信した者のみに返信可能な連絡網システムを提供する。【解決手段】固有メールアドレスでメールの送受信を行う複数の端末１０１と前記端末１０１の一つから送信を受けたとき、前記端末１０１すべてあるいはそれらの中の一部のグループに対してメールを一斉送信するメールサーバー１０２からなる連絡網システムにおいて、メールサーバー１０２が、前記端末１０１の一つからメールの送信を受けたとき、その端末１０１の固有メールアドレスを秘匿して、該固有メールアドレスを別の変換メールアドレスに変換しメールを一斉送信する機能および、前記一斉送信を受けた端末から前記変換メールアドレス宛の返信メールを受けたとき、該変換メールアドレスが特定する固有メールアドレスを持つ一つの端末１０１のみに該返信メールを送信する機能を備えておく。【選択図】図１
2009260897.tif 000002
【特許請求の範囲】
【請求項１】
それぞれが固有メールアドレスを有してメールの送受信を行う複数の端末と、連絡網の送受信用として定義された所定のメールアドレスを有して前記複数の端末と接続され、それらの端末の一つから送信を受けたとき、前記複数の端末すべてあるいはそれらの中の一部のグループに対してメールを一斉送信する機能を備えたメールサーバーとから構成された連絡網システムにおいて、前記メールサーバーが、前記端末の一つからメールの送信を受けたとき、送信元を示すその端末の固有メールアドレスは秘匿し、かつ該固有メールアドレスをそれとは別の変換メールアドレスに変換した上でメールを一斉送信する機能および、前記一斉送信されたメールを受信した端末から、前記変換メールアドレスを宛先とする返信メールを受けたとき、該変換メールアドレスの変換元である固有メールアドレスを持つ一つの端末のみに該返信メールを送信する機能を備えていることを特徴とする連絡網システム。
【請求項２】
前記メールサーバーが、前記返信メールを受けたとき、その返信メールを発した端末の固有メールアドレスを秘匿して送信する機能を備えていることを特徴とする請求項１記載の連絡網システム。
【請求項３】
前記固有メールアドレス毎に、前記変換メールアドレスを生成するための情報を固有メールアドレスと対応付けて記憶した記憶手段が設けられるとともに、前記メールサーバーが、前記端末の一つからメールの送信を受けたとき、その端末の固有メールアドレスと対応する前記情報を前記記憶手段から読み出し、その情報に基づいて前記変換メールアドレスを生成する機能を備えていることを特徴とする請求項１または２記載の連絡網システム。
【発明の詳細な説明】
【技術分野】
【０００１】本発明は、携帯端末やコンピュータ端末等の端末複数と、それらが接続するメールサーバーとから構成された連絡網システムに関するものである。
【背景技術】
【０００２】従来、携帯端末やコンピュータ端末等の端末複数と、それらが接続するメールサーバーとから構成された、メールによる連絡網システムが公知となっている。このような連絡網システムにおいては、一つの端末からメールサーバーに対してメール送信がなされると、メールサーバーから一斉送信つまりシステム加入者全員の端末に向けた配信がなされるようになっている（例えば特許文献１参照）。【０００３】より詳しく説明すると、上述のような連絡網システムの一つとして、各端末固有のメールアドレスのまま送受信が行われるものが知られている。また別の例として、メールサーバーが連絡網の送受信用として定義された所定のメールアドレスを有した上で、それに接続する複数の端末の一つから送信を受けたとき、複数の端末すべてに対して一斉送信する機能を備えたものも公知となっている。このような連絡網システムにおいては、ある端末から連絡網に対して送信がなされたとき、それを受けたメールサーバーからシステム加入者全員に向けた一斉送信は、そのメールサーバーのメールアドレス、つまり上記所定のメールアドレスによってなされる。
【特許文献１】  特開平１１−８８４２３号公報
【発明の開示】
【発明が解決しようとする課題】
【０００４】上に示した二つの連絡網システムの前者においては、送信者のメールアドレス（送信者の端末に付与された固有のメールアドレスのこと。以下同様）が、連絡網システム加入者の全員に知られてしまうという問題がある。またこのシステムにおいては、迷惑メール対策のために端末にドメイン指定受信やドメイン指定受信拒否を設定している場合には、連絡網システム加入者のメールアドレス毎にそれらの設定あるいは解除設定をする必要があり、設定操作が面倒になるという問題も認められる。【０００５】それに対して後者の連絡網システムでは、メールサーバーが持つ所定のメールアドレスで各端末への一斉送信がなされるので、送信者のメールアドレスが他のシステム加入者に知られてしまうこともなく、また、ドメイン指定受信拒否等の設定も、そのメールサーバーが持つメールアドレス一つに対して行うだけでよいから、大変簡単なものとなる。【０００６】ところがこの後者の連絡網システムにおいて、メールサーバーから一斉送信を受けたシステム加入者は、そのメールを送信した加入者のメールアドレスを知ることはできない。したがって、その一斉送信されたメールに対して返信する場合も、当然メールサーバーのメールアドレス宛に送信がなされるので、その返信したメールがまたシステム加入者全員に一斉送信されることになる。その場合、返信者は勿論、最初に一斉送信されたメールの内容に関して興味あるいは利害関係等が有るから返信することになった訳であるが、システム加入者の中にはそのような興味や利害関係等を持たない者（以下、当事者外という）が居る可能性もある。そうであると、その当事者外の人たちにとっては、最初の１回は仕方が無いものの、それ以後も何回か不要なメールが送信されて来ることになり、大変煩わしいことになる。【０００７】そこで本発明は、システム加入者のメールアドレスが他の加入者に知られてしまうことがなく、しかも一斉送信を受けた加入者が、最初のメールを送信した者（以下、メール発信者という）のみに返信することを可能にする連絡網システムを提供することを目的とする。
【課題を解決するための手段】
【０００８】本発明の連絡網システムは、それぞれが固有メールアドレスを有してメールの送受信を行う複数の端末と、連絡網の送受信用として定義された所定のメールアドレスを有して前記複数の端末と接続され、それらの端末の一つから送信を受けたとき、前記複数の端末すべてあるいはそれらの中の一部のグループに対してメールを一斉送信する機能を備えたメールサーバーとから構成された連絡網システムにおいて、前記メールサーバーが、前記端末の一つからメールの送信を受けたとき、送信元を示すその端末の固有メールアドレスは秘匿し、かつ該固有メールアドレスをそれとは別の変換メールアドレスに変換した上でメールを一斉送信する機能および、前記一斉送信されたメールを受信した端末から、前記変換メールアドレスを宛先とする返信メールを受けたとき、該変換メールアドレスの変換元である固有メールアドレスを持つ一つの端末のみに該返信メールを送信する機能を備えていることを特徴とするものである。【０００９】なお、本発明の連絡網システムは、上述のような一斉送信の他に、システム加入者の一人を特定してメールを送信する機能を備えていても良いことはもちろんである。【００１０】また、上記の「秘匿」とは、通常のユーザーが端末を通常に操作する限り、メールを構成する要素（件名、本文、送信者等の欄）にメールアドレスが表示されないようにすることを表すものとする。【００１１】そして、上述のように、前記変換メールアドレスを宛先とする返信メールを受けたとき、該変換メールアドレスの変換元である固有メールアドレスを持つ一つの端末のみに該返信メールを送信する機能をメールサーバーが備えている場合、そのメールサーバーはさらに、前記メールサーバーが、前記返信メールを受けたとき、その返信メールを発した端末の固有メールアドレスを秘匿して送信する機能を備えていることが望ましい。【００１２】さらに、本発明による連絡網システムにおいては、前記固有メールアドレス毎に、前記変換メールアドレスを生成するための情報を固有メールアドレスと対応付けて記憶した記憶手段が設けられるとともに、前記メールサーバーが、前記端末の一つからメールの送信を受けたとき、その端末の固有メールアドレスと対応する前記情報を前記記憶手段から読み出し、その情報に基づいて前記変換メールアドレスを生成する機能を備えていることが望ましい。
【発明の効果】
【００１３】以上説明したように、本発明の連絡網システムにおいては、メールサーバーが、複数の端末の一つからメールの送信を受けたとき、送信元を示すその端末の固有メールアドレスは秘匿し、かつ該固有メールアドレスをそれとは別の変換メールアドレスに変換した上でメールを一斉送信する機能を備えているので、メールサーバーからの一斉送信は、それに送信をした端末の固有メールアドレスを秘匿した状態でなされるから、送信者の固有メールアドレスがシステム加入者全員に知られてしまうことはない。さらにその一斉送信は、連絡網の送受信用として定義されたメールサーバーの所定の定義にそったメールアドレスによってなされるから、ドメイン指定受信等の設定操作も連絡網システムで使用するドメイン一つだけに対して行えばよく、よってその設定操作は簡単なものとなる。【００１４】また、本発明の連絡網システムにおいて特に、前記一斉送信されたメールを受信した端末から、前記変換メールアドレスを宛先とする返信メールを受けたとき、該変換メールアドレスの変換元である固有メールアドレスを持つ一つの端末のみに該返信メールを送信する機能をメールサーバーが備えているので、メール発信者のみに返信することができる。このとき、返信先以外つまりメール発信者以外の端末にメールが送信されることはないから、当事者外の人たちが興味や利害関係の無いメールを何度も受けて煩わしい思いをすることが防止される。【００１５】また、メール受信者が通常の操作で返信を行うと、その返信メールはメールサーバーを介して自動的にメール発信者のみに送信されるので、返信時にメールアドレスを調べるようなことは不要になる。【００１６】さらに、上述のように前記返信メールを受けたとき、その返信メールを発した端末の固有メールアドレスを秘匿して送信する機能をメールサーバーが備えている場合は、その返信をした端末の固有メールアドレス（つまり返信者の固有メールアドレス）がシステム加入者全員に知られてしまうことも防止されるので、より好ましい。【００１７】また、本発明の連絡網システムにおいて特に、前記固有メールアドレス毎に、前記変換メールアドレスを生成するための情報を固有メールアドレスと対応付けて記憶した記憶手段が設けられるとともに、前記メールサーバーが、前記端末の一つからメールの送信を受けたとき、その端末の固有メールアドレスと対応する前記情報を前記記憶手段から読み出し、その情報に基づいて前記変換メールアドレスを生成する機能を備えている場合は、端末を特定する固有メールアドレスとは別の変換メールアドレスを生成する情報と固有メールアドレスとの対応付けが確実になり、また端末を特定する固有メールアドレスとは別の変換メールアドレスを生成する情報の変更等の管理作業も容易化される。
【発明を実施するための最良の形態】
【００１８】以下、図面を参照して、本発明の実施形態について説明する。【００１９】図１は、本発明の一実施形態による連絡網システムを示すものである。この連絡網システムは、それぞれが固有のメールアドレスを有してメールの送受信を行う複数の携帯端末１０１、１０１、・・・（以下、複数を指す場合でも、特に必要の有る場合以外、付番は１つだけ示すこととする）と、該携帯端末１０１からの例えば「連絡網認証画面を開く」、「メールを送信する」等の命令に応じて、画面データを送信する、メールを送信する等の処理をするメールサーバー１０２と、このメールサーバー１０２と複数の携帯端末１０１とを相互接続するネットワーク１０３とから構成されている。【００２０】メールサーバー１０２は後に詳述するように、連絡網の送受信用として定義された連絡網システム内での全員に一斉送信するためのメールアドレス、連絡網システムに加入している複数の端末の中の一部のグループに一斉送信するためのメールアドレス、あるいは連絡網システムに加入している加入者の中の一人にメールを送信するためのメールアドレスを有するものであり、一つの携帯端末１０１から送信を受けたとき、連絡網システム加入者の一人の端末１０１に対してメールを送信し、あるいは、複数の端末１０１、１０１、・・・すべてに対してメールを一斉送信し、また、複数の端末１０１、１０１、・・・の中の一部のグループに属するすべての端末１０１に対してメールを一斉送信する機能を備えている。より詳しく説明すると、このメールサーバー１０２は、携帯端末１０１に表示される例えば連絡網認証画面や連絡網画面といった画面のデータを送信するＷＥＢ表示部１０２ａ、携帯端末１０１にメールを送信するメール送信部１０２ｂ、携帯端末１０１からのメールを受信し、転送すべきアドレスを検索するメール転送部１０２ｃ、および連絡網システム加入者の情報や複数の携帯端末１０１の中の一部のグループを示すグループ情報を記憶した記憶手段を持つデータベース部１０２ｄから構成されている。【００２１】さらに、データベース部１０２ｄには、複数の携帯端末１０１それぞれの端末を特定する前記固有メールアドレスとは別の変換メールアドレスを生成するための情報を端末の固有メールアドレスと対応付けて記憶したユーザーマスタ１０２ｄ１および複数の携帯端末１０１の中の一部のグループを示すグループ情報を記憶したグループマスタ１０２ｄ２が具備されている。【００２２】上記ＷＥＢ表示部１０２ａは、携帯端末１０１との間でＨＴＴＰ（Ｈｙｐｅｒｔｅｘｔ  Ｔｒａｎｓｆｅｒ  Ｐｒｏｔｏｃｏｌ）プロトコルやＨＴＴＰＳ（Ｈｙｐｅｒｔｅｘｔ  Ｔｒａｎｓｆｅｒ  Ｐｒｏｔｏｃｏｌ  ｏｖｅｒ  Ｓｅｃｕｒｅ  Ｓｏｃｋｅｔ  Ｌａｙｅｒ）プロトコルにて通信を行う機能を備えている。そしてＷＥＢ表示部１０２ａおよびメール転送部１０２ｃは、データベース部１０２ｄにアクセス可能となっている。【００２３】以上説明した各機能部、すなわちＷＥＢ表示部１０２ａ、メール送信部１０２ｂ、メール転送部１０２ｃ、およびデータベース部１０２ｄは、メールサーバー１０２を構成する情報処理装置のプログラムによって実現されており、例えばハードディスク装置に格納��れた当該プログラムをメールサーバー１０２の中央処理装置（Ｃｅｎｔｒａｌ  Ｐｒｏｃｅｓｓｉｎｇ  Ｕｎｉｔ）がメモリを介して順次読み込むことにより、各機能が実現される。また、データベース部１０２ｄはハードディスク装置内に格納されている。なお、本実施形態ではデータベース部１０２ｄがメールサーバー１０２の本体内に設置されているが、本体とは別体に設置されてもよい。【００２４】以上の構成を有するメールサーバー１０２は、インターネット等のネットワークに接続可能で、ＳＭＴＰ（Ｓｉｍｐｌｅ  Ｍａｉｌ  Ｔｒａｎｓｆｅｒ  Ｐｒｏｔｏｃｏｌ）プロトコルに則ったメール等の電子情報を送受信する機能を備えている。【００２５】一方、携帯端末１０１はＷＥＢ表示機能および、電子メール（Ｅｌｅｃｔｒｏｎｉｃ  Ｍａｉｌ）機能つまりＳＭＴＰプロトコルに則ってメール等の電子情報を送受信する機能を備えている。なお各携帯端末１０１は、あらかじめ、上記メールサーバー１０２において上記のように定義された連絡網システム内で使用されるドメイン名のメールアドレスを送信元とするメールを受信可能に設定しておく必要がある。【００２６】ネットワーク１０３としては、例えばＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を用いるインターネットが使用される。【００２７】次に、本実施形態の連絡網システムの動作について説明する。まずはじめに、本実施形態の連絡網システムを運用するにあたり、連絡網システムの管理者は、図１のＷＥＢ表示部１０２ａからのデータに基づいて携帯端末１０１に表示される連絡網認証画面を利用して、連絡網システムで使用されるグループの登録を行う。すなわち、連絡網システムの管理者は、メールサーバー１０２にアクセスして、図２に示すような連絡網認証画面２０１を携帯端末１０１に表示させる。なおこの連絡網認証画面２０１は、メールサーバー１０２のＷＥＢ表示部１０２ａが具備しているデータに基づいて表示されるものである。【００２８】そして連絡網システムの管理者は、上記連絡網認証画面２０１においてユーザーＩＤおよびパスワードの入力を行い、認証ボタンを押下する。すると携帯端末１０１には、同じく図２に示す連絡網システムメニュー画面２０２が表示される。続いて連絡網システムの管理者は、連絡網システムメニュー画面２０２のグループ登録を選択し、グループ登録画面２０３を携帯端末１０１に表示させる。さらに連絡網システムの管理者は、このグループ登録画面２０３においてグループ記号に複数の端末１０１の中の一部のグループを識別するための記号を入力し、グループ名に複数の端末１０１の中の一部のグループの名称の入力を行い、確認ボタンを押下し、グループ登録確認画面２０４を表示させる。続いて連絡網システムの管理者は、グループ登録確認画面２０４に表示された登録内容を確認し、送信ボタンを押下する。【００２９】以上の操作がなされると、携帯端末１０１からメールサーバー１０２にデータベースへの登録要求が送信される。メールサーバー１０２はこの登録要求を受けると、データベース部１０２ｄに具備されるグループマスタ１０２ｄ２に上記グループ記号およびグループ��を保存する。このデータ保存が完了すると、携帯端末１０１においては、グループ登録完了画面２０５が表示される。【００３０】一方、連絡網システム加入者はまずはじめに、メールサーバー１０２にアクセスして、図３に示すような連絡網認証画面３０１を携帯端末１０１に表示させる。なおこの連絡網認証画面３０１は、メールサーバー１０２のＷＥＢ表示部１０２ａが具備しているデータに基づいて表示されるものである。【００３１】そして連絡網システム加入者は、上記連絡網認証画面３０１から新規登録を選択して、メールアドレス登録画面３０２を携帯端末１０１に表示させる。さらに連絡網システム加入者は、このメールアドレス登録画面３０２においてメールアドレスに連絡網システム加入者の中の一人の携帯端末１０１の固有メールアドレスを入力し、パスワードに連絡網システムの加入者の中の一人が設定したパスワードを入力し、所属グループに連絡網システム加入者の中の一人が所属するグループを示す記号の入力を行い、確認ボタンを押下し、メールアドレス登録確認画面３０３を表示させる。続いて連絡網システム加入者は、メールアドレス登録確認画面３０３に表示された登録内容を確認し、送信ボタンを押下する。【００３２】以上の操作がなされると、携帯端末１０１からメールサーバー１０２にデータベースへの登録要求が送信される。メールサーバー１０２はこの登録要求を受けると、データベース部１０２ｄに具備されるユーザーマスタ１０２ｄ１にメールサーバー１０２が自動で番号が連続番号になるように付番した番号をユーザーＩＤとして保存するとともに、上記メールアドレス、パスワード、および所属グループを保存する。このデータ保存が完了すると、携帯端末１０１においては、メールアドレス登録完了画面３０４が表示される。【００３３】本実施形態の連絡網システムでは、ユーザーＩＤをメールサーバー１０２が自動で番号が連続番号になるように付番した番号を付与して保存しているが、メールアドレス登録画面３０２において図６に示すメールアドレス登録画面６０１のようにユーザーＩＤに連絡網システムの加入者が定める任意の文字を入力させ、そしてその文字をデータベース部１０２ｄに具備されるユーザーマスタ１０２ｄ１に保存させてもよい。【００３４】次に図４は、本実施形態の連絡網システムにおけるメールのやり取り処理の流れを示すものである。また図５は、図４に示すメール送信処理４０２およびメール送信処理４０４における処理の流れを示した流れ図である。以下、この図４および図５を参照して、メールのやり取り処理について説明する。【００３５】まずはじめに本実施形態の連絡網システム内で使用される連絡網の送受信用として定義されたメールアドレスについて説明する。【００３６】一般的に用いられるメールアドレスの構成は、ローカル部＠ドメイン名のような形式で構成され、ローカル部の部分にはそのメールの送信者を示す記号、ドメイン名の部分には、送信者が使用しているサーバーのドメイン名がそれぞれ割当てられている。本実施形態の連絡網システム内で使用するメールアドレスの構成は基本的に、一般的に用いられるメールアドレスの構成（ローカル部＠ドメイン名）と同じになり、ローカル部に��、全員に一斉送信するための記号（以下、ＥＥＥとする）、複数の端末の中の一部のグループを示す記号（グループを示す記号＿ＥＥＥ）、連絡網システム内の加入者の中の一人を示す記号（ユーザーＩＤ＿ＥＥＥ）がセットされる。また、ドメイン名の部分にはメールサーバー１０２に設定されているドメイン名（以下、ＦＦＦ．ＧＧＧとする）がそれぞれ割当てられている。【００３７】つまり、本実施形態の連絡網システム内で使用するメールアドレスは、全員に一斉送信するためのメールアドレス（ＥＥＥ＠ＦＦＦ．ＧＧＧ）、複数の端末１０１の中の一部のグループに一斉送信するためのメールアドレス（グループを示す記号＿ＥＥＥ＠ＦＦＦ．ＧＧＧ）、そして、連絡網システム内の加入者の中の一人に送信するためのメールアドレス（ユーザーＩＤ＿ＥＥＥ＠ＦＦＦ．ＧＧＧ）となる。【００３８】次に、本連絡網システムを利用して本連絡網システム加入者全員にメールを一斉送信する場合について説明する。【００３９】本連絡網システム加入者の中のメール発信者、つまりある案件について最初にメールを送信する者（以下、加入者Ａとする）は、加入者Ａの携帯端末１０１のメール送信画面において、宛先に連絡網システム内で使用される連絡網の送受信用として定義された全員に一斉送信をするためのメールアドレス（ＥＥＥ＠ＦＦＦ．ＧＧＧ）を入力する。【００４０】引続き加入者Ａは、件名に本来の連絡用件を示す事項を入力し、さらに連絡内容を本文に入力する。宛先、件名、本文の入力が完了したら、送信ボタンを押下する等によりメールサーバー１０２宛にメール送信要求４０１が送られる。メールサーバー１０２は、図４に示すように、加入者Ａの携帯端末１０１から上記のメール送信要求４０１を受けると、次にメール送信処理４０２を実行する。【００４１】メールサーバー１０２は、このメール送信処理４０２において、まずはじめに図５に示す連絡網システム加入者判定処理５０１を実行する。この連絡網システム加入者判定処理５０１では、メールサーバー１０２内のデータベース部１０２ｄに具備されるユーザーマスタ１０２ｄ１に加入者Ａの携帯端末１０１の固有メールアドレス（以下、ＨＨＨ＠ＩＩＩ．ＪＪＪとする）が登録されているか否かを照会し、登録されていれば、全員に一斉送信判定処理５０２が実行される。登録されていない場合は、受信したメールを破棄すると共に加入者Ａに対して利用できない旨のメールが送信される。つまりこの場合は、結果的にメールサーバー１０２内のデータベース部１０２ｄに具備されるユーザーマスタ１０２ｄ１に登録されているので、全員に一斉送信判定処理５０２が実行される。【００４２】そして、図５に示す、全員に一斉送信判定処理５０２では、本実施形態の連絡網システムの全員に一斉送信するためのメールアドレスはＥＥＥ＠ＦＦＦ．ＧＧＧと定義されているので、受信したメールの宛先にセットされているメールアドレスがこの定義されたメールアドレス（ＥＥＥ＠ＦＦＦ．ＧＧＧ）と一致するが否かを比較する。比較した結果、この定義されたメールアドレス（ＥＥＥ＠ＦＦＦ．ＧＧＧ）と一致していた場合は、全員に一斉送信するためのメールアドレス変換処理５０３が実行され、一致しない場合は、グ��ープに一斉送信判定処理５０４が実行される。つまりこの場合は、結果的に一致するので全員に一斉送信するためのメールアドレス変換処理５０３が実行される。【００４３】続いて、図５に示す、全員に一斉送信するためのメールアドレス変換処理５０３では、メールサーバー１０２内のデータベース部１０２ｄに具備されるユーザーマスタ１０２ｄ１に登録されているすべての携帯端末１０１の固有メールアドレスの照会を行い、それぞれの固有メールアドレスを送信先のメールアドレスとしてセットする。【００４４】また本実施形態の連絡網システムの加入者の変換メールアドレスの構成はユーザーＩＤ＿全員へ一斉送信を示す記号＠ドメイン名（ユーザーＩＤ＿ＥＥＥ＠ＦＦＦ．ＧＧＧ）と定義されているので、メールサーバー１０２は、データベース部１０２ｄに具備されるユーザーマスタ１０２ｄ１に対して、加入者Ａの携帯端末１０１の固有メールアドレス（ＨＨＨ＠ＩＩＩ．ＪＪＪ）に対応するユーザーＩＤを照会し、その照会したユーザーＩＤを使用して、変換メールアドレス（例えば、加入者ＡのユーザーＩＤを０００１とした場合は、０００１＿ＥＥＥ＠ＦＦＦ．ＧＧＧとなる）を作成し、図５に示す、メール送信処理５０８を実行する。【００４５】さらに、図５に示す、メール送信処理５０８では全員に一斉送信するためのメールアドレス変換処理５０３で作成した、送信先のメールアドレスおよび変換メールアドレス（０００１＿ＥＥＥ＠ＦＦＦ．ＧＧＧ）を送信者のメールアドレスとしてセットし、さらに、件名に加入者Ａから送られた本来の連絡用件を示す事項をセットするとともに、メール本文として加入者Ａから送られた送信内容をセットし、それらのセット内容をメール送信部１０２ｂに渡す。【００４６】そしてメールサーバー１０２内のメール送信部１０２ｂは、ＳＭＴＰプロトコルを利用して、前記送信先のメールアドレスとしてセットされたメールアドレスに対してメールを一斉に送信する。【００４７】続いて、本連絡網システムを利用して本連絡網システム加入者の中の一部のグループにメールを一斉送信する場合について説明する。【００４８】加入者Ａが本連絡網システム加入者の中の一部のグループ（以下、グループＡとする）にメールを一斉送信する場合、加入者Ａは、加入者Ａの携帯端末１０１のメール送信画面において、宛先に連絡網システム内で使用される連絡網の送受信用として定義されたグループＡに一斉送信するためのメールアドレス（例えば、グループＡに一斉送信を示す記号をＧＲＯＵＰＡとした場合は、ＧＲＯＵＰＡ＿ＥＥＥ＠ＦＦＦ．ＧＧＧとなる）を入力する。【００４９】引続き加入者Ａは、件名に本来の連絡用件を示す事項を入力し、さらに連絡内容を本文に入力する。宛先、件名、本文の入力が完了したら、送信ボタンを押下する等によりメールサーバー１０２宛にメール送信要求４０１が送られる。メールサーバー１０２は、図４に示すように、加入者Ａの携帯端末１０１から上記のメール送信要求４０１を受けると、次にメール送信処理４０２を実行する。【００５０】メールサーバー１０２は、このメール送信処理４０２において、まずはじめに図５に示す連絡網システム加入者判定処理５０１を実行する。この連絡網システム��入者判定処理５０１では、メールサーバー１０２内のデータベース部１０２ｄに具備されるユーザーマスタ１０２ｄ１に加入者Ａの携帯端末１０１の固有メールアドレス（ＨＨＨ＠ＩＩＩ．ＪＪＪ）が登録されているか否かを照会し、登録されていれば、全員に一斉送信判定処理５０２が実行される。登録されていない場合は、受信したメールを破棄すると共に加入者Ａに対して利用できない旨のメールが送信される。つまりこの場合は、結果的にメールサーバー１０２内のデータベース部１０２ｄに具備されるユーザーマスタ１０２ｄ１に登録されているので、全員に一斉送信判定処理５０２が実行される。【００５１】そして、図５に示す全員に一斉送信判定処理５０２では、本実施形態の連絡網システムの全員に一斉送信するためのメールアドレスはＥＥＥ＠ＦＦＦ．ＧＧＧと定義されているので、受信したメールの宛先にセットされているメールアドレスがこの定義されたメールアドレス（ＥＥＥ＠ＦＦＦ．ＧＧＧ）と一致するか否かを比較する。比較した結果、この定義されたメールアドレス（ＥＥＥ＠ＦＦＦ．ＧＧＧ）と一致していた場合は、全員に一斉送信するための変換処理５０３が実行される。一致しない場合は、グループに一斉送信判定処理５０４が実行さる。つまりこの場合は、結果的に一致しないのでグループに一斉送信判定処理５０４が実行される。【００５２】また、図５に示すグループに一斉送信判定処理５０４では、まずはじめに受信したメールの宛先にセットされているメールアドレスのローカル部（ＧＲＯＵＰＡ＿ＥＥＥ）より、グループを示す記号を取り出す。より詳しく説明すると、受信したメールの宛先にセットされているメールアドレスのローカル部（ＧＲＯＵＰＡ＿ＥＥＥ）より＿および全員に一斉送信を示す記号（ＥＥＥ）を取り除き、グループを示す記号（ＧＲＯＵＰＡ）を取り出す。【００５３】そして、メールサーバー１０２は、メールサーバー１０２内のデータベース部１０２ｄに具備されるグループマスタ１０２ｄ２のグループ記号の欄に、前述で取り出したグループを示す記号（ＧＲＯＵＰＡ）が登録されているか否かを照会し、登録されていれば、グループに一斉送信するためのメールアドレス変換処理５０５が実行される。登録されていない場合は、加入者の中の一人に送信判定処理５０６が実行される。つまりこの場合は、結果的にメールサーバー１０２内のデータベース部１０２ｄに具備されるグループマスタ１０２ｄ２に登録されているのでグループに一斉送信するためのメールアドレス変換処理５０５が実行される。【００５４】続いて、図５に示す、グループに一斉送信するためのメールアドレス変換処理５０５では、メールサーバー１０２はメールサーバー１０２内のデータベース部１０２ｄに具備されるユーザーマスタ１０２ｄ１に対して固有メールアドレスの照会を行い、その記号と一致するグループに属している加入者の携帯端末１０１の固有メールアドレスすべてを送信先のメールアドレスとしてセットする。【００５５】また、本実施形態の連絡網システムの加入者の変換メールアドレスの構成はユーザーＩＤ＿全員へ一斉送信を示す記号＠ドメイン名（ユーザーＩＤ＿ＥＥＥ＠ＦＦＦ．ＧＧＧ）と定義されているので、メールサーバー��０２は、データベース部１０２ｄに具備されるユーザーマスタ１０２ｄ１に対して加入者Ａの固有メールアドレス（ＨＨＨ＠ＩＩＩ．ＪＪＪ）に対応するユーザーＩＤを照会し、その照会したユーザーＩＤを使用して、変換メールアドレス（例えば、加入者ＡのユーザーＩＤを０００１とした場合は、０００１＿ＥＥＥ＠ＦＦＦ．ＧＧＧとなる）を作成し、メール送信処理５０８を実行する。【００５６】さらに、図５に示す、メール送信処理５０８ではグループに一斉送信するためのメールアドレス変換処理５０５で作成した、送信先のメールアドレスおよび変換メールアドレス（０００１＿ＥＥＥ＠ＦＦＦ．ＧＧＧ）を送信者のメールアドレスとしてセットし、さらに、件名に加入者Ａから送られた本来の連絡用件を示すことをセットするとともに、メール本文として加入者Ａから送られた送信内容をセットし、それらのセット内容をメール送信部１０２ｂに渡す。【００５７】そしてメールサーバー１０２内のメール送信部１０２ｂは、ＳＭＴＰプロトコルを利用して、前記送信先のメールアドレスとしてセットされたメールアドレスに対してメールを一斉に送信する。【００５８】次に、本連絡網システムを利用して一斉送信されたメールを受信し、その発信者に対して返信を行なう場合について説明する。【００５９】一斉送信されたメールを受信した連絡網システム加入者の中で、加入者Ａに対して返信したい者（以後、加入者Ｂとする）は、加入者Ｂの携帯端末１０１の機能によるメール返信処理４０３を利用してメールの返信を行う。なおこの返信は、通常の「返信」の形でなされる。そしてメールサーバー１０２は、この加入者Ｂからのメールを受信すると、メール転送部１０２ｃにおいて、メール送信処理４０４が起動される。【００６０】メールサーバー１０２は、このメール送信処理４０４において、まずはじめに図５に示す連絡網システム加入者判定処理５０１を実行する。この連絡網システム加入者判定処理５０１では、メールサーバー１０２内のデータベース部１０２ｄに具備されるユーザーマスタ１０２ｄ１に加入者Ｂの携帯端末１０１の固有メールアドレス（以下、ＫＫＫ＠ＬＬＬ．ＭＭＭとする）が登録されているか否かを照会し、登録されていれば、全員に一斉送信判定処理５０２が実行される。登録されていない場合は、受信したメールを破棄すると共に加入者Ｂに対して利用できない旨のメールが送信される。つまり、この場合は、結果的にメールサーバー１０２内のデータベース部１０２ｄに具備されるユーザーマスタ１０２ｄ１に登録されているので、全員に一斉送信判定処理５０２が実行される。【００６１】そして、図５に示す、全員に一斉送信判定処理５０２では、本実施形態の連絡網システムの全員に一斉送信するためのメールアドレスはＥＥＥ＠ＦＦＦ．ＧＧＧと定義されているので、受信したメールの宛先にセットされているメールアドレスがこの定義されたメールアドレス（ＥＥＥ＠ＦＦＦ．ＧＧＧ）と一致するか否かを比較する。比較した結果この定義されたメールアドレス（ＥＥＥ＠ＦＦＦ．ＧＧＧ）と一致していた場合、全員に一斉送信するためのメールアドレス変換処理５０３が実行される。一致しない場合、グループに一斉送信判定処理５０４が実行され��。つまりこの場合は、結果的に一致しないのでグループに一斉送信判定処理５０４が実行される。【００６２】また、図５に示す、グループに一斉送信判定処理５０４では、まずはじめに受信したメールの宛先にセットされているメールアドレスのローカル部（０００１＿ＥＥＥ）より、グループを示す記号を取り出す。より詳しく説明すると、受信したメールの宛先にセットされているメールアドレスのローカル部（０００１＿ＥＥＥ）より＿および全員に一斉送信を示す記号（ＥＥＥ）を取り除き、グループを示す記号（０００１）を取り出す。【００６３】そして、メールサーバー１０２は、メールサーバー１０２内のデータベース部１０２ｄに具備されるグループマスタ１０２ｄ２のグループ記号の欄に、前述で取り出したグループを示す記号（０００１）が登録されているか否かを照会し、登録されていれば、グループに一斉送信するためのメールアドレス変換処理５０５が実行される。一致しない場合は、加入者の中の一人に送信判定処理５０６が実行される。つまりこの場合は、結果的にメールサーバー１０２内のデータベース部１０２ｄに具備されるグループマスタ１０２ｄ２に登録されていないので加入者の中の一人に送信判定処理５０６が実行される。【００６４】さらに、図５に示す、加入者の中の一人に送信判定処理５０６では、まずはじめに受信したメールの宛先にセットされているメールアドレスのローカル部（０００１＿ＥＥＥ）より、連絡網システム内の加入者の中の一人を示す記号を取り出す。より詳しく説明すると、受信したメールの宛先にセットされているメールアドレスのローカル部（０００１＿ＥＥＥ）より＿および全員に一斉送信を示す記号（ＥＥＥ）を取り除き、連絡網システム内の加入者の中の一人を示す記号（０００１）を取り出す。【００６５】そして、メールサーバー１０２は、メールサーバー１０２内のデータベース部１０２ｄに具備されるユーザーマスタ１０２ｄ１のユーザーＩＤの欄に、前述で取り出した連絡網システム内の加入者の中の一人を示す記号（０００１）が登録されているか否かを照会し、登録されていれば、加入者の中の一人に送信するためのメールアドレス変換処理５０７が実行される。登録されていない場合は、受信したメールを破棄すると共に加入者Ｂに対して送信できない旨のメールが送信される。つまりこの場合は、結果的にメールサーバー１０２内のデータベース部１０２ｄに具備されるユーザーマスタ１０２ｄ１に登録されているので、加入者の中の一人に送信するためのメールアドレス変換処理５０７が実行される。【００６６】続いて、図５に示す、加入者の中の一人に送信するためのメールアドレス変換処理５０７では、メールサーバー１０２は、メールサーバー１０２内のデータベース部１０２ｄに具備されるユーザーマスタ１０２ｄ１に対して固有メールアドレスの照会を行い、その記号（０００１）と一致する加入者の携帯端末１０１の固有メールアドレス（ＨＨＨ＠ＩＩＩ．ＪＪＪ）を送信先のメールアドレスとしてセットする。【００６７】また、本実施形態の連絡網システムの加入者の変換メールアドレスの構成はユーザーＩＤ＿全員に一斉送信を示す記号＠ドメイン名（ユーザーＩＤ＿ＥＥＥ＠ＦＦＦ．ＧＧＧ）��定義されているので、メールサーバー１０２は、データベース部１０２ｄに具備されるユーザーマスタ１０２ｄ１に対して、加入者Ｂの固有メールアドレス（ＫＫＫ＠ＬＬＬ．ＭＭＭ）に対応するユーザーＩＤを照会し、その照会したユーザーＩＤを使用して、変換メールアドレス（例えば、加入者ＢのユーザーＩＤを０００２とした場合は、０００２＿ＥＥＥ＠ＦＦＦ．ＧＧＧとなる）を作成し、メール送信処理５０８を実行する。【００６８】さらに、図５に示す、メール送信処理５０８では加入者の中の一人に送信するためのメールアドレス変換処理５０７で作成した、送信先のメールアドレスおよび変換メールアドレス（０００１＿ＥＥＥ＠ＦＦＦ．ＧＧＧ）を送信者のメールアドレスとしてセットし、さらに、件名に加入者Ｂから送られた本来の連絡用件を示すことをセットするとともに、メール本文として加入者Ｂから送られた送信内容をセットし、それらのセット内容をメール送信部１０２ｂに渡す。【００６９】そしてメールサーバー１０２内のメール送信部１０２ｂは、ＳＭＴＰプロトコルを利用して、前記送信先のメールアドレスとしてセットされたメールアドレスに対してメールを送信する。【００７０】以上説明したように本実施形態の連絡網システムにおいては、加入者Ａからの加入者Ａの端末を特定する変換メールアドレスに変換されたメールを受信した携帯端末１０１から、そのメールへの返信がなされたとき、その端末を特定する変換メールアドレスに対応する一つの携帯端末１０１のみを選択して送信する機能をメールサーバー１０２が備えているので、一斉送信に際して加入者Ａの固有メールアドレスが秘匿されていても、返信メールが加入者Ａの携帯端末１０１に確実に送られることになる。【００７１】そして、上記一斉送信は加入者Ａの固有メールアドレスを秘匿した状態でなされるので、その加入者Ａの固有メールアドレスがシステム加入者の全員に不用意に知られてしまうことが防止される。さらに本実施形態では、返信した加入者Ｂの固有メールアドレスも秘匿した状態で返信がなされるようになっているので、加入者Ｂの固有メールアドレスがシステム加入者の全員に不用意に知られてしまうことも防止される。【００７２】また上記の一斉送信は、連絡網の送受信用として定義されたメールサーバー１０２の所定の定義にそったメールアドレスによってなされるから、ドメイン指定受信等の設定操作も連絡網システムで使用するドメイン一つだけに対して行えばよく、よってその設定操作は簡単なものとなる。【００７３】また、加入者Ｂからの返信メールは加入者Ａのみに返信されるようになっているから、加入者Ａが発信したメールに興味や利害関係が無い人（当事者外）にも加入者Ｂからの返信メールが送られてしまうことがなく、当事者外の人たちが逐一そのような返信メールを受け取る煩わしさが無くなる。【００７４】また、本実施形態の連絡網システムにおいては、複数の携帯端末１０１それぞれのユーザーＩＤを携帯端末１０１の固有メールアドレスと対応付けて記憶したデータベース部（記憶手段）１０２ｄが設けられるとともに、メールサーバー１０２が、複数の携帯端末１０１の一つから送信を受けたとき、その端末の固有メールアドレスと対応する��ーザーＩＤをデータベース部１０２ｄから読み出し、その読み出したユーザーＩＤをもとにその端末を特定する変換メールアドレスを生成する機能を備えているので、ユーザーＩＤと固有メールアドレスとの対応付けが確実になり、またユーザーＩＤの変更等の管理作業も簡単なものとなる。【００７５】また、本実施形態の連絡網システムを利用して、図５に示す、全員に一斉送信するためのメールアドレス変換処理５０３、グループに一斉送信するためのメールアドレス変換処理５０５および加入者の中の一人に送信するためのメールアドレス変換処理５０７において、本実施形態では、メールサーバー１０２は、データベース部１０２ｄに具備されるユーザーマスタ１０２ｄ１に対して加入者Ａの携帯端末１０１の固有メールアドレス（ＨＨＨ＠ＩＩＩ．ＪＪＪ）に対応するユーザーＩＤを照会して連絡網システムの加入者の変換メールアドレス（例えば、加入者ＡのユーザーＩＤを０００１とした場合は、０００１＿ＥＥＥ＠ＦＦＦ．ＧＧＧ）を作成していたが、メールサーバー１０２が自動で一意な番号になるように付番した番号と加入者Ａの携帯端末１０１の固有メールアドレス（ＨＨＨ＠ＩＩＩ．ＪＪＪ）をメールサーバー１０２内のデータベース部１０２ｄに具備される送信履歴データの送信履歴番号、メールアドレスの欄にそれぞれ保存するとともに、メールサーバー１０２は、送信履歴データに保存した自動で一意な番号になるように付番した番号をユーザーＩＤとして使用し、連絡網システム加入者の変換メールアドレス（例えば、送信履歴データに保存した自動で一意な番号になるように付番した番号を２００８０３０３０００１とした場合は、２００８０３０３０００１＿ＥＥＥ＠ＦＦＦ．ＧＧＧとなる）を作成してもよい。【００７６】またその際には、本実施形態の連絡網システムを利用して、図５に示す、加入者の中の一人に送信判定処理５０６および加入者の中の一人に送信するためのメールアドレス変換処理５０７においては、本実施形態では、メールサーバー１０２は、メールサーバー１０２内のデータベース部１０２ｄに具備されるユーザーマスタ１０２ｄ１に対して受信したメールの宛先にセットされているメールアドレスのローカル部（０００１＿ＥＥＥ）より取出した、連絡網システム内の加入者の中の一人を示す記号（０００１）と一致する加入者の携帯端末１０１の固有メールアドレス（ＨＨＨ＠ＩＩＩ．ＪＪＪ）を照会していたが、メールサーバー１０２が、メールサーバー１０２内のデータベース部１０２ｄに具備される送信履歴データに対して受信したメールの宛先にセットされているメールアドレスのローカル部（２００８０３０３０００１＿ＥＥＥ）より取出した、連絡網システム内の加入者の中の一人を示す記号（２００８０３０３０００１）と一致する加入者の携帯端末１０１の固有メールアドレス（ＨＨＨ＠ＩＩＩ．ＪＪＪ）を照会するようにすることが望ましい。【００７７】以上のような、変換メールアドレスの作成方法に変更しても本実施形態と同様の効果を得ることができるとともに、毎回同じ変換メールアドレスのままメールを一斉送信していると、変換メールアドレスを持つ加入者がだれなのか推測されやすくなるが、送信する都度変換メールア��レスが変更になるので、変換メールアドレスを持つ加入者がだれなのか推測されにくいという効果も得られる。【００７８】また、本実施形態では、メールを一斉送信するときに、メールの宛先を入力していたが、メールの宛先を入力する代わりに、あらかじめ本実施形態で使用する変換メールアドレス、例えば全体  ＥＥＥ＠ＦＦＦ．ＧＧＧ、グループＡ  ＧＲＯＵＰＡ＿ＥＥＥ＠ＦＦＦ．ＧＧＧのように名称とメールアドレスを対にした情報をｖＣａｒｄ形式のファイルとして保存して、あらかじめ連絡網システムの加入者全員に配布しておく。そして連絡網システムの加入者は、その配布を受けたｖＣａｒｄ形式のファイルをそれぞれの携帯端末１０１のアドレス帳に取込んでおき、連絡内容を連絡網システムの加入者のすべてあるいはそれらの中の一部のグループに対してメールを一斉送信したいときに、メール送信画面より携帯端末１０１に具備されるアドレス帳を参照して、メールの宛先に本実施形態で使用するメールアドレスがセットされるようにするとさらに簡単なものになる。
【図面の簡単な説明】
【図１】本発明の実施形態による連絡網システムのシステム構成図。
【図２】本発明の実施形態において、グループ登録時に携帯端末に表示される画面の概略図。
【図３】本発明の実施形態において、メールアドレス登録時に携帯端末に表示される画面の概略図。
【図４】本発明の実施形態におけるメールのやり取り部分の処理を示す図。
【図５】メール送信処理４０２およびメール送信処理４０４における、処理の流れ図。
【図６】本発明の実施形態において、ユーザーＩＤに連絡網システムの加入者が定める任意の文字を入力させる場合の、メールアドレス登録時に携帯端末に表示される画面の概略図。
【符号の説明】
１０１      携帯端末
１０２      メールサーバー
１０２ａ    ＷＥＢ表示部
１０２ｂ    メール送信部
１０２ｃ    メール転送部
１０２ｄ    データベース部
１０２ｄ１  ユーザーマスタ
１０２ｄ２  グループマスタ
１０３      ネットワーク
２０１      連絡網認証画面
２０２      連絡網システムメニュー画面
２０３      グループ登録画面
２０４      グループ登録確認画面
２０５      グループ登録完了画面
３０１      連絡網認証画面
３０２      メールアドレス登録画面
３０３      メールアドレス登録確認画面
３０４      メールアドレス登録完了画面
４０１      メール送信要求
４０２      メール送信処理
４０３      メール返信処理
４０４      メール送信処理
５０１      連絡網システム加入者判定処理
５０２      全員に一斉送信判定処理
５０３      全員に一斉送信するためのメールアドレス変換処理
５０４      グループに一斉送信判定処理
５０５      グループに一斉送信するためのメールアドレス変換処理
５０６      加入者の中の一人に送信判定処理
５０７      加入者の中の一人に送信するためのメールアドレス変換処理
５０８      メール送信処理
６０１      メールアドレス登録画面
【図１】
2009260897.tif 000003
【図２】
2009260897.tif 000004
【図３】
2009260897.tif 000005
【図４】
2009260897.tif 000006
【図５】
2009260897.tif 000007
【図６】
2009260897.tif 000008